(57)【要約】【課題】異物がスライド扉と縦枠の隙間に引き込まれたときだけ作動して、異音の発生がなく、スライド扉の動きに外乱を与えない扉の異物引き込み防止装置の提供。【解決手段】扉の異物引き込み防止装置は、隙間の入口近傍に設けられて、スライド扉から離間しているが隙間をほぼ塞いだ閉塞位置に設けられた排出ローラと、排出ローラを閉塞位置および隙間の入口から後退した後退位置間で移動可能に支持する可動部材と、排出ローラを常時閉塞位置に偏倚するばね装置と、可動部材に軸支されて、排出ローラと外接し、排出ローラが後退位置にあるときだけスライド扉に接触する変換ローラとを備え、スライド扉が変換ローラを回転し、変換ローラがその回転方向と反対方向に排出ローラを回転する。【選択図】　　　　図１
2004075307.tif 000002
【特許請求の範囲】
【請求項１】
出入り口の縦枠との間に隙間を有するスライド扉と共に用いる扉の異物引き込み防止装置に於いて、上記隙間の入口近傍に設けられて、上記スライド扉から離間しているが上記隙間をほぼ塞いだ閉塞位置に設けられた排出ローラと、上記排出ローラを上記閉塞位置および上記隙間の入口から後退した後退位置間で移動可能に支持する可動部材と、上記排出ローラを常時上記閉塞位置に偏倚するばね装置と、上記排出ローラと外接し、上記可動部材に軸支され、上記排出ローラが上記後退位置にあるときだけ上記スライド扉に接触する変換ローラとを備え、上記スライド扉が上記変換ローラを回転し、上記変換ローラがその回転方向と反対方向に上記排出ローラを回転することを特徴とする扉の異物引き込み防止装置。
【請求項２】
上記可動部材が上記閉塞位置および上記後退位置間で揺動可能に上記縦枠上に枢支され、上記ばね装置が上記可動部材に作用するねじりコイルばねを有することを特徴とする請求項１に記載の扉の異物引き込み防止装置。
【請求項３】
上記可動部材が上記閉塞位置および上記後退位置間で摺動可能に上記縦枠上に案内支持され、上記ばね装置が上記可動部材に作用するコイルばねを有することを特徴とする請求項１に記載の扉の異物引き込み防止装置。
【請求項４】
上記縦枠上に設けられて、上記可動部材の上記閉塞位置および上記後退位置間の範囲を超えた移動を制限するストッパを設けたことを特徴とする請求項１及至３のいずれか１項に記載の扉の異物引き込み防止装置。
【請求項５】
上記可動部材および上記ばね装置が、上記縦枠の中空部に収納されたことを特徴とする請求項１及至４のいずれか１項に記載の扉の異物引き込み防止装置。
【発明の詳細な説明】
【０００１】
【発明の属する技術分野】
この発明は、扉の異物引き込み防止装置に関し、特にエレベータに用いるのに適したスライド扉と三方枠の縦枠との間の隙間への異物引き込みを防止する扉の異物引き込み防止装置に関する。
【０００２】
【従来の技術】
図５には、エレベータでスライド扉と三方枠の縦枠との隙間へ異物が引き込まれて故障等の原因となることへの対策として特開平８−６７４８０号公報に開示されているエレベータのスライド扉に共に用いられる異物引き込み防止装置を示してある。
【０００３】
この従来の扉の異物引き込み防止装置は、引き戸であるスライド扉１と縦枠２に設けられている。スライド扉１の上端面に強固にボルト止めされ、スライド扉１を吊すドアハンガー３と、スライド扉１の上端面とドアハンガー３との間に設けられ、スライド扉１の移動方向と平行に歯部４ａが切られ、スライド扉１の主面１ａより歯部４ａが突出する様に配置されたラック４と、ラック４の位置を調整するハサミ金（図示せず）とがスライド扉１側に設けられている。ラック４とハナミ金（図示せず）はドアハンガー３と一緒にスライド扉１にボルト止めされている。ドアハンガー３はローラ５を介して図示しないトラックに懸垂されており、スライド扉１は図５の矢印ａの方向に移動して開く構造となっている。
【０００４】
一方、鋼板で作成された箱体からなり、スライド扉１に対向した面に開口２ａを形成している縦枠２の内部に、ラック４の歯部４ａと噛合して回転するピニオン６と、ピニオン６と噛合して回転する歯車７と、歯車７が軸８ａの上端部に軸止されて、歯車７の回転に伴い回転するローラ８が収納されている。ローラ８はスライド扉１の前面１ａと微小な隙間をもって縦枠２と略々平行に相対し、スライド扉１の高さとほぼ同じ長さである。ローラ８は縦枠２とスライド扉１間の隙間（一般には５ｍｍ）より大きい半径を持っている。ローラ８の軸８ａの上下の軸端は縦枠２の上面及び下面に設けられた支持部材９に回転自在に支持されている。またローラ８は軸８ａを中心に囲んで、円柱状に成型したゴムからなる。縦枠２に固定し、ラック４に設けたガイド溝１０と嵌合するガイドバー１１で縦枠２とスライド扉１との隙間を一定に保持している。
【０００５】
このように構成されたエレベータのスライド扉１と共に用いられる扉の異物引き込み防止装置の動作を説明する。スライド扉１が矢印ａ方向に開くと、ラック４も矢印ａ方向に移動し、ラック４の歯部４ａと噛み合ってピニオン軸６ａを中心にピニオン６を上方から見て時計方向ｅ方向にピニオン６が回転する。さらにピニオン６と噛み合った歯車７が軸８ａを中心に歯車７を上方から見て反時計方向ｆに回転する。ローラ８の軸８ａには歯車７が固定されているので、ローラ８が軸８ａを中心にローラ８を上方から見て反時計方向に回転する。従ってローラ８のスライド扉１に対向する側面の回転方向ｆがスライド扉１の移動方向ａと反対になる。その結果ローラ８が縦枠２とスライド扉１の隙間に挟まった異物を掃き出すことができる。
【０００６】
【発明が解決しようとする課題】
しかしながら従来の扉の異物引き込み防止装置は次のような問題があった。スライド扉１の開閉にともない、ラック４、ピニオン６、歯車７及びローラ８が常に連動して動くので、それぞれの動作の伝達による音が発生するし、特にローラ８の回転による異音が乗員に不快感を与えることがある。
【０００７】
また、スライド扉１の左右への移動にともない、スライド扉１と縦枠２との下部での隙間の寸法変化が大きいこともあり、スライド扉１の上端面に取り付けられたラック４と縦枠２に取り付けられたピニオン６との噛み合い程度が変化するので、スライド扉１とローラ８が当接してスライド扉１の開閉時の走行に外乱を与え、スライド扉１のスムーズな移動やローラ８が回転しないことが起こる恐れがある。
また、ドアハンガー３とスライド扉１の上端面との間にラック４を取り付けるため、ラック４のスペースを確保するため全長の短い特殊なドアパネルまたは特殊なドアハンガー３が必要になり標準の扉や既存の扉に対応することができないという問題があった。
【０００８】
この発明の目的は異物がスライド扉と縦枠の隙間に引き込まれたときだけ作動して、異音の発生がなく、スライド扉の動きに外乱を与えない扉の異物引き込み防止装置を得ることである。
【０００９】
【課題を解決するための手段】
この発明によれば、上述の課題を解決するための手段は次の通りである。
（１）扉の異物引き込み防止装置は、出入り口の縦枠との間に隙間を有するスライド扉と共に用いる扉の異物引き込み防止装置に於いて、隙間の入口近傍に設けられて、スライド扉から離間しているが隙間をほぼ塞いだ閉塞位置に設けられた排出ローラと、排出ローラを閉塞位置および隙間の入口から後退した後退位置間で移動可能に支持する可動部材と、排出ローラを常時閉塞位置に偏倚するばね装置と、排出ローラと外接し、可動部材に軸支され、排出ローラが後退位置にあるときだけスライド扉に接触する変換ローラとを備え、スライド扉が変換ローラを回転し、変換ローラがその回転方向と反対方向に排出ローラを回転する。
【００１０】
（２）可動部材が閉塞位置および後退位置間で揺動可能に縦枠上に枢支され、ばね装置が可動部材に作用するねじりコイルばねであってもよい。
【００１１】
（３）可動部材が閉塞位置および後退位置間で摺動可能に縦枠上に案内支持され、ばね装置が可動部材に作用するコイルばねであってもよい。
【００１２】
（４）縦枠上に設けられて、可動部材の閉塞位置および後退位置間の範囲を超えた移動を制限するストッパを設けてもよい。
【００１３】
（５）可動部材およびばね装置が、縦枠の中空部に収納されてもよい。
【００１４】
【発明の実施の形態】
実施の形態１．
図１はこの発明の実施の形態１の扉引き込まれ防止装置の部分斜視図である。図２、図３は図１を扉上方から見た斜視図であり、図２、図３では排出ローラがそれぞれ閉塞位置と後退位置にある。
【００１５】
図１の扉の異物引き込み防止装置は、上述の従来の扉の異物引き込み防止装置とは異なり、スライド扉１には特別な加工は施されてはいない。スライド扉１にはドアハンガー３が固定され、ドアハンガー２はローラ５を介して図示しないトラックに懸垂されている。スライド扉１は図１の左右に開閉される構造となっている。また出入口を形成する縁を持つ出入り口枠のうち、縦枠２１は鋼板で作成された箱体からなり、スライド扉１に面する面が開口していて、スライド扉１との間には約５ｍｍ位の隙間ができている。
【００１６】
扉の異物引き込み防止装置は、スライド扉１と縦枠２１の間にできる隙間の入口近傍に設けられて、スライド扉１から離間しているが隙間をほぼ塞いだ閉塞位置に設けられた排出ローラ２２と、排出ローラ２２を閉塞位置および隙間の入口から後退した後退位置間で移動可能に支持する可動部材２３、２４と、排出ローラ２２を常時閉塞位置に偏倚するばね装置であるねじりコイルばね２５、２６と、可動部材２３、２４に軸支されて、排出ローラ２２が後退位置にあるときだけスライド扉１に接触して回転され、外接している排出ローラ２２をその回転方向と反対方向に回転する変換ローラ２７、２８とを備えている。排出ローラ２２は縦枠２１のほぼ全長に亘って設けられており、変換ローラ２７、２８は排出ローラ２２の上下両端部に設けられている。排出ローラ２２および変換ローラ２７、２８はゴム、プラスチック等の弾性があり、表面の摩擦が大きい材料でできている。
【００１７】
より詳しく説明すると、可動部材２３、２４は、縦枠２１の上部と下部に設けられた支持部材２９、３０に連結金具軸３１、３２で回転自在に支持されている。排出ローラ２２の軸は上下の可動部材２３、２４に両端を支持されている。また変換ローラ２７、２８はそれぞれ上下の可動部材２３、２４に軸支され、排出ローラ２２と変換ローラ２７、２８は外接しているので、一方が回転すると従動して他方のローラが回転するように配置されている。
【００１８】
さらに、排出ローラ２２は常時縦枠２１に当接している閉塞位置と、排出ローラ２２を隙間の入口方向から奥方向に押してスライド扉１に当接する後退位置の間を移動できる。排出ローラ２２が常時は閉塞位置に偏倚するように、排出ローラ２２が軸支している可動部材２３、２４を、連結金具軸３１、３２を中心に縦枠２１の上方から見て反時計方向に、連結金具軸３１、３２を中心にしてねじりコイルばね２５、２６で付勢している。この状態では変換ローラ２７、２８はスライド扉１と隙間ｇを保っていて、排出ローラ２２はそのローラ面が縦枠２１に当接して閉塞位置に偏倚している。ねじりコイルばね２５、２６の両端は、可動部材２３、２４と支持部材２９、３０に固定されている。さらに、支持部材２９、３０には連結金具軸３１、３２を中心に可動部材２３、２４を上方から見て時計方向に可動部材２３、２４を停止するストッパ３３、３４が設けられている。
【００１９】
このように構成されたエレベータスライド扉に用いられた扉の異物引き込み防止装置の動作を図２、図３を用いて説明する。図２に示すように、指３５などの異物がスライド扉１と縦枠２１の隙間にないときは、可動部材２３、２４は連結金具軸３１、３２を中心にして図２で反時計方向にねじりコイルばね２５、２６で付勢され、排出ローラ２２は縦枠２１に当接している。また、変換ローラ２２、２３はスライド扉１と隙間ｇを有して離れている。
【００２０】
図３に示すように、スライド扉１がａ方向に開くときに、指３５がスライド扉１と縦枠２１の隙間に巻き込まれようとすると、指３５が排出ローラ２２を図３で連結金具軸３１を中心に時計方向に押し込む。変換ローラ２７は排出ローラ２２と接しているので、排出ローラ２２と同様に時計方向に移動して、変換ローラ２７がスライド扉１と接触し、変換ローラ２７が時計方向ｄに回転する。排出ローラ２２は上下の変換ローラ２７、２８に接しているので、排出ローラ２２はｅ方向に回転する。排出ローラ２２は指３５をスライド扉１と縦枠２１の隙間から押し出すことができる。
【００２１】
さらに、スライド扉１と縦枠２１の隙間が大きいときは、可動部材２３、２４がストッパ３３、３４に当たって、指３５が引き込まれることを機械的に防止することができる。
【００２２】
このような扉の異物引き込み防止装置では、指３５などの異物が引き込まれていないとき、変換ローラ２７、２８とスライド扉１が離れているので、この扉の異物引き込み防止装置は作動しないし、音の発生も見られない。また、異物が引き込まれたときでも、変換ローラ２７、２８がゴムからできていて、音の発生がほとんどない。
【００２３】
また、スライド扉１の上下の両端で変換ローラ２７、２８が当たるので、均一な力が変換ローラ２７、２８に加わり、変換ローラ２７、２８がスムーズに回転する。同時にスライド扉１もスムーズな開閉動作する。
【００２４】
また、縦枠２１内に扉の異物引き込み防止装置の構成要素のほとんど収納されているので、縦枠２１だけを交換したり、または新たに設計するだけで扉の異物引き込み防止装置を様々な型式のエレベータにもまた既存のエレベータにも設置できる。
【００２５】
尚、この実施の形態１はエレベータに適用したが、乗客輸送用の車両に適用しても同様な効果が得られる。
【００２６】
また、スライド扉１の表面は特に加工していないが、変換ローラ２７、２８が当接する部分にガラスの微粒子などを吹き付けて、表面の凹凸が大きくなる塗膜を設けて、スライド扉１と変換ローラ２７，２８との摩擦力を大きくすることで、スライド扉１の動きを確実に変換ローラ２７、２８に伝達することもできる。
また、上述のように、スライド扉１の変換ローラ２７、２８が当たる領域を除いた表面に、滑り性を向上するポリテトラフルオロエチレンなどの被覆をすることで、指３５などの異物とスライド扉１の間の摩擦力を小さくすることができ、排出ローラ２２の回転だけが指３５などの異物に作用することができる。
【００２７】
実施の形態２．
図４はこの発明の実施の形態２の扉引き込み防止装置の平面図である。実施の形態１と異なるのは、可動部材と、排出ローラを閉塞位置に偏倚するばね装置である。
【００２８】
可動部材４１は、支持部材４２にねじ４３で固定され、縦枠２１の開口の近傍にスライド扉１に略水平な溝４４を設けた保持板４５に、その溝４４に摺動可能に嵌合し案内支持されている。可動部材４１には排出ローラ２２の一方の軸端と、変換ローラ２７が軸支されている。排出ローラ２２を閉塞位置に偏倚するように、可動部材４１をスライド扉１と縦枠２１の隙間の入口方向に付勢している引張コイルばね４６が保持板４５に設けられている。
【００２９】
このように構成された扉の異物引き込み防止装置の動作を説明する。図示なしの指などがスライド扉１と縦枠２１の隙間にスライド扉１の開く動作に引きずられて間違って引き込まれようとすると、指が排出ローラ２２を指の挿入方向に押す。排出ローラ２２は変換ローラ２７、２８と一体に可動部材４１に支持されていて、可動部材４１がコイルばね４６で一方に付勢されているので、可動部材４１が指の挿入方向に動いて、変換ローラ２２がスライド扉１に当接し、スライド扉１のａ方向の動きに連動して、変換ローラ２２が図４に示すように時計方向に回転する。それ以降は実施の形態１と同様な動作で指などの異物が隙間から押し出される。この場合は、溝４４の変換ローラ２２側には一定の隙間を設け、可動部材４１が必要以上に後退しないようにストッパになっている。そのため、指が入り込みすぎることはない。
【００３０】
このように扉の異物引き込み防止装置は、実施の形態１と同様に異物が隙間に引き込まれたときだけ作動するから、常時は音の発生が見られない。また挟まれたときも、変換ローラ２７、２８がゴムからできているので、音の発生がほとんどない。
【００３１】
また、縦枠２１内に扉の異物引き込み防止装置の構成要素の大部分が収納されているので、縦枠２１だけを交換したり、または新たに設計するだけで扉の異物引き込み防止装置をいろいろなエレベータに設置できる。
【００３２】
また、排出ローラ２２を閉塞位置に偏倚するばね装置を、スライド式の可動部材４１とコイルばね４６で構成しているので、簡単な部材であり、コストも安くすることができる。
【００３３】
【発明の効果】
以上の如くこの発明の扉の異物引き込み防止装置による効果は次の通りである。
（１）扉の異物引き込み防止装置は、出入り口の縦枠との間に隙間を有するスライド扉と共に用いる扉の異物引き込み防止装置に於いて、隙間の入口近傍に設けられて、スライド扉から離間しているが隙間をほぼ塞いだ閉塞位置に設けられた排出ローラと、排出ローラを閉塞位置および隙間の入口から後退した後退位置間で移動可能に支持する可動部材と、排出ローラを常時閉塞位置に偏倚するばね装置と、可動部材に軸支されて、排出ローラと外接し、排出ローラが後退位置にあるときだけスライド扉に接触する変換ローラとを備え、スライド扉が変換ローラを回転し、変換ローラがその回転方向と反対方向に排出ローラを回転するので、異物が縦枠と扉の隙間に入ったときだけ、排出ローラが入り込んできた異物を排出して、変換ローラと扉の接触が一時だけになり、異音の発生も限られる。また、通常では変換ローラと扉は接触していなので扉の走行抵抗がなく円滑な扉の動きにできる。また異物が引き込まれたときだけ作動するので、変換ローラや排出ローラに力がそのときだけ加わるだけで、ゴムなどのクリープ現象での劣化が少なくなる。
【００３４】
（２）可動部材が閉塞位置および後退位置間で揺動可能に縦枠上に枢支され、ばね装置が可動部材に作用するねじりコイルばねを有しているので、簡単に扉引き込まれ防止装置を設置することができる。また、簡単なねじりコイルばねを用いているので長年に渡って使用できる。
【００３５】
（３）可動部材が閉塞位置および後退位置間で摺動可能に縦枠上に案内支持され、ばね装置が可動部材に作用するコイルばねを有しているので、可動部材は保持板の溝に沿って１軸方向だけに移動しスライド扉に垂直に当たることで、小型な構造になる。
【００３６】
（４）縦枠上に設けられて、可動部材の閉塞位置および後退位置間の範囲を超えた移動を制限するストッパを設けているので、スライド扉と縦枠の隙間が大きいとき、可動部材の必要以上の動きを機械的に止めて、引き込みを防止する。
【００３７】
（５）可動部材およびばね装置が、縦枠の中空部に収納されているので、標準の扉に対応することができて、既存の扉にも、縦枠の部分だけを変更することで扉の異物引き込み防止装置を設置できる。
【図面の簡単な説明】
【図１】この発明の実施の形態１の扉の異物引き込み防止装置の部分斜視図である。
【図２】図１の縦枠上部を上方から見た平面図である。
【図３】図２に指を挿入した状態の平面図である。
【図４】この発明の実施の形態２の扉の異物引き込み防止装置を縦枠上部から見た平面図である。
【図５】従来の扉の異物引き込み防止装置の部分斜視図である。
【符号の説明】
１　スライド扉、２１　縦枠、２２　排出ローラ、２３、２４、４１　可動部材、２５、２６　ねじりコイルばね、２７、２８　変換ローラ、２９、３０、４２　支持部材、３１、３２　連結金具軸、３３、３４　ストッパ、３６　指、４３　ねじ、４４　溝、４５　保持板、４６　コイルばね。
【図１】
2004075307.tif 000003
【図２】
2004075307.tif 000004
【図３】
2004075307.tif 000005
【図４】
2004075307.tif 000006
【図５】
2004075307.tif 000007